(57)【要約】【課題】作業効率を向上させることができるインサート挿入工具及びインサート挿入方法を提供する。【解決手段】実施形態に係るインサート挿入工具１０は、インサートが装着されるマンドレル２０と、インサートにおいてタップ穴に先に進入する先端の反対側の後端にインクを塗布する塗布部材５０とを備える。これにより、タップ穴に挿入されたインサートが被加工物の表面に対して目立つようになり、ユーザはインサートがタップ穴に挿入されているか否かを視認することが可能になるので、確認作業が容易になり、作業効率を向上させることができる。【選択図】図１
2020199626.tif 000002
【特許請求の範囲】
【請求項１】
インサートが装着されるマンドレルと、
前記インサートにおいてタップ穴に先に進入する先端の反対側の後端にインクを塗布する塗布部材と、
を備えることを特徴とするインサート挿入工具。
【請求項２】
前記塗布部材は、前記インクを保持するインク保持部材を有し、
前記インク保持部材は、前記マンドレルに装着された前記インサートの前記後端に接触することを特徴とする請求項１に記載のインサート挿入工具。
【請求項３】
前記インク保持部材は、前記マンドレルの延伸方向に沿って移動可能に形成されており、
前記マンドレルに装着された前記インサートの前記後端に前記インク保持部材を押し付ける押圧部材を備えることを特徴とする請求項２に記載のインサート挿入工具。
【請求項４】
前記塗布部材は、前記インクを保持するインク保持部材を有し、
前記インク保持部材は、前記タップ穴に挿入された前記インサートの前記後端に接触することを特徴とする請求項１に記載のインサート挿入工具。
【請求項５】
前記塗布部材を収容する収容部材を備え、
前記収容部材は、前記塗布部材に前記インクを供給するための供給孔を有することを特徴とする請求項１から請求項４のいずれか一項に記載のインサート挿入工具。
【請求項６】
インサート挿入工具が備えるマンドレルにインサートを装着する工程と、
前記インサート挿入工具が備える塗布部材により、前記マンドレルに装着された前記インサートにおいてタップ穴に先に進入する先端の反対側の後端にインクを塗布する工程と、
前記インクが塗布されたインサートを前記インサート挿入工具により前記タップ穴に挿入する工程と、
を有することを特徴とするインサート挿入方法。
【請求項７】
インサート挿入工具が備えるマンドレルにインサートを装着する工程と、
前記マンドレルに装着された前記インサートを前記インサート挿入工具によりタップ穴に挿入する工程と、
前記インサート挿入工具が備える塗布部材により、前記タップ穴に挿入された前記インサートにおいて前記タップ穴に先に進入した先端の反対側の後端にインクを塗布する工程と、
を有することを特徴とするインサート挿入方法。
【発明の詳細な説明】
【技術分野】
【０００１】
本発明は、インサート挿入工具及びインサート挿入方法に関する。
【背景技術】
【０００２】
通常、雌ネジの耐久性が要求される場合や強い締め付けが必要となる場合など、強硬な雌ネジが求められる場合には、例えばコイルインサートやネジインサートなどと呼ばれるインサートが用いられる。インサートは、ステンレスなどの線材がコイル状に巻かれて形成されており、インサート挿入工具により樹脂やアルミ合金などの被加工物のタップ穴（ネジ穴）にねじ込まれて挿入される（埋め込まれる）。このインサートとしては、タング付きインサートやタングレスインサートが存在しており、それぞれに対応するインサート挿入工具が用いられる。
【０００３】
一般的にインサートの色はステンレスなどの銀色であり、アルミ合金などの被加工物の色も同色あるいは同系色であることが多い。このため、被加工物のタップ穴に挿入されたインサートは被加工物の表面に対して目立たなく、インサートがタップ穴に挿入されているか否かをユーザが視認することは困難である。このため、ユーザは、タップ穴に挿入されたインサートに試しにネジを回し入れ、インサートがタップ穴に挿入されているか否かを確認する作業を行っている。この確認作業は、時間を要し、また、タップ穴ごとに実施されるため、作業効率は低下する。
【先行技術文献】
【特許文献】
【０００４】
【特許文献１】特開２００９−２９１８６０号公報
【発明の概要】
【発明が解決しようとする課題】
【０００５】
本発明が解決しようとする課題は、作業効率を向上させることができるインサート挿入工具及びインサート挿入方法を提供することである。
【課題を解決するための手段】
【０００６】
本発明の実施形態に係るインサート挿入工具は、インサートが装着されるマンドレルと、前記インサートにおいてタップ穴に先に進入する先端の反対側の後端にインクを塗布する塗布部材とを備えることを特徴とする。
【０００７】
上記インサート挿入工具について、前記塗布部材は、前記インクを保持するインク保持部材を有し、前記インク保持部材は、前記マンドレルに装着された前記インサートの前記後端に接触するようにしてもよい。
【０００８】
上記インサート挿入工具について、前記インク保持部材は、前記マンドレルの延伸方向に沿って移動可能に形成されており、前記マンドレルに装着された前記インサートの前記後端に前記インク保持部材を押し付ける押圧部材を備えるようにしてもよい。
【０００９】
上記インサート挿入工具について、前記塗布部材は、前記インクを保持するインク保持部材を有し、前記インク保持部材は、前記タップ穴に挿入された前記インサートの前記後端に接触するようにしてもよい。
【００１０】
上記インサート挿入工具について、前記塗布部材を収容する収容部材を備え、前記収容部材は、前記塗布部材に前記インクを供給するための供給孔を有するようにしてもよい。
【００１１】
本発明の実施形態に係るインサート挿入方法は、インサート挿入工具が備えるマンドレルにインサートを装着する工程と、前記インサート挿入工具が備える塗布部材により、前記マンドレルに装着された前記インサートにおいてタップ穴に先に進入する先端の反対側の後端にインクを塗布する工程と、前記インクが塗布されたインサートを前記インサート挿入工具により前記タップ穴に挿入する工程とを有することを特徴とする。
【００１２】
本発明の実施形態に係るインサート挿入方法は、インサート挿入工具が備えるマンドレルにインサートを装着する工程と、前記マンドレルに装着された前記インサートを前記インサート挿入工具によりタップ穴に挿入する工程と、前記インサート挿入工具が備える塗布部材により、前記タップ穴に挿入された前記インサートにおいて前記タップ穴に先に進入した先端の反対側の後端にインクを塗布する工程とを有することを特徴とする。
【発明の効果】
【００１３】
本発明の実施形態によれば、作業効率を向上させることができる。
【図面の簡単な説明】
【００１４】
【図１】第１の実施形態に係るインサート挿入工具を示す斜視図である。
【図２】第１の実施形態に係るインサート挿入工具を示す正面図である。
【図３】図２の３−３線断面図である。
【図４】第１の実施形態に係るインサート装着済のインサート挿入工具を示す正面図である。
【図５】第１の実施形態に係るインサート挿入動作を説明するための第１の図である。
【図６】第１の実施形態に係るインサート挿入動作を説明するための第２の図である。
【図７】第１の実施形態に係るインサート挿入動作を説明するための第３の図である。
【図８】第２の実施形態に係るインサート挿入工具を示す正面図である。
【図９】図８の９−９線断面図である。
【図１０】第２の実施形態に係るインサート装着済のインサート挿入工具を示す正面図である。
【図１１】第２の実施形態に係るインサート挿入動作を説明するための図である。
【発明を実施するための形態】
【００１５】
＜第１の実施形態＞
第１の実施形態について図１から図７を参照して説明する。なお、第１の実施形態中の上下左右の方向は図面に基づくものである。
【００１６】
（基本構成）
図１から図３に示すように、実施の一形態に係るインサート挿入工具１０は、マンドレル（マンドル）２０と、収容部材３０と、押圧部材４０と、塗布部材５０とを備えている。このインサート挿入工具１０は、図５に示すような被加工物Ａ１のタップ穴Ａ２にタング付きインサートＢ１（以下、インサートＢ１という）を挿入する（埋め込む）ために用いられる。
【００１７】
マンドレル２０は円柱状に形成されており、マンドレル２０の上部には六角ビット２１が形成されている。六角ビット２１は、自動式のドライバー（例えば、電動ドライバー）の駆動軸や手動式の回転治具にマンドレル２０を着脱可能に連結する連結部として機能する。このため、インサート挿入工具１０は自動式及び手動式の両方に対応可能になっている。マンドレル２０の外周面には、環状のフランジ部材２２が六角ビット２１の根元付近に位置付けられて設けられている。また、マンドレル２０の外周面には、溝部２０ａがフランジ部材２２の下方付近からマンドレル２０の中央付近までマンドレル２０の延伸方向に延びるように形成されている。さらに、マンドレル２０の下端側（先端側）の外周面には、雄ネジ２０ｂが形成されている。この雄ネジ２０ｂにインサートＢ１が組み合わされ、インサートＢ１はマンドレル２０に装着される。
【００１８】
収容部材３０は、本体３１と、収容部３２とを有している。この収容部材３０は、本体３１によりマンドレル２０の一部を収容しつつ、収容部３２によりマンドレル２０の一部と共に塗布部材５０を収容する。
【００１９】
本体３１は、円筒状に形成されており、マンドレル２０の延伸方向に沿って移動可能にマンドレル２０に設けられている。マンドレル２０は、本体３１の貫通孔３１ａに通されている（図３参照）。本体３１の外周面の上端側（後端側）には、ネジ穴３１ｂがマンドレル２０の溝部２０ａに対向するように形成されている。このネジ穴３１ｂは、雌ネジが内周面に形成されている貫通孔である。ネジ穴３１ｂには、雄ネジ３３が挿入されている。雄ネジ３３は、マンドレル２０の溝部２０ａの底面に接触せず、あるいは、本体３１の移動（上下方向への移動）が可能に接触する程度に、溝部２０ａ内に突出しており、本体３１は、溝部２０ａの延伸方向に沿って溝部２０ａの延伸方向の長さ範囲内で移動する。したがって、溝部２０ａは、延伸方向の長さによって本体３１の移動範囲を定めるものである。
【００２０】
収容部３２は、本体３１の下端に本体３１に一体的に設けられており、本体３１の直径よりも大きい直径を有する円筒状に形成されている。収容部３２の内面には、円環状の塗布部材５０が取り付けられている。また、収容部３２の外周面には、塗布部材５０にインクを供給するための貫通孔である供給孔３２ａが形成されている。収容部３２は、例えば、樹脂材により形成されている。この収容部３２は、収容部材３０が被加工物Ａ１の表面に当接するときの衝撃を和らげる緩衝材としても機能する。
【００２１】
押圧部材４０は、収容部材３０をマンドレル２０の下端側（先端側）に押す部材である。収容部材３０は、押圧部材４０によって下方向に押されており、収容部材３０の雄ネジ３３がマンドレル２０の溝部２０ａの内周面の下端に当接し（図３参照）、停止している状態である。例えば、押圧部材４０として付勢部材（例えば、コイルスプリングなどのバネ）が用いられ、付勢部材はマンドレル２０のフランジ部材２２の下面と本体３１の上面との間に設けられている。
【００２２】
ここで、前述の収容部材３０及び押圧部材４０がユーザによってマンドレル２０に装着される場合には、まず、マンドレル２０にその下端側から押圧部材４０が装着され、次いで、フランジ部材２２に当接する押圧部材４０に抗して収容部材３０がマンドレル２０に装着される。そして、収容部材３０の本体３１のネジ穴３１ｂがマンドレル２０の溝部２０ａに対向すると、ネジ穴３１ｂ内の雄ネジ３３が溝部２０ａ内に所定量（収容部材３０の上下方向への移動が可能な所定量）だけ突出される。このようにして、収容部材３０及び押圧部材４０がマンドレル２０に装着される。
【００２３】
塗布部材５０は、第１のインク保持部材５１と、第２のインク保持部材５２とを有している。この塗布部材５０は、第１のインク保持部材５１及び第２のインク保持部材５２により、インサートＢ１においてタップ穴Ａ２に先に進入する先端の反対側の後端にインクを塗布する。
【００２４】
第１のインク保持部材５１及び第２のインク保持部材５２は円環状に形成されており、それぞれの環の外径、内径、厚さ及び幅（リング幅）は同じになっている。これらの第１のインク保持部材５１及び第２のインク保持部材５２は、第１のインク保持部材５１が上層になり、第２のインク保持部材５２が下層になるように積層されている（二層構造）。第１のインク保持部材５１及び第２のインク保持部材５２は、収容部材３０の移動に応じて、収容部３２と共にマンドレル２０の延伸方向に沿って移動する。マンドレル２０は、第１のインク保持部材５１及び第２のインク保持部材５２の個々の貫通孔５１ａ、５２ａ（図３参照）に通されている。第１のインク保持部材５１及び第２のインク保持部材５２の個々の貫通孔５１ａ、５２ａの直径は、第１のインク保持部材５１及び第２のインク保持部材５２がそれぞれマンドレル２０に接触しないように設定されている。
【００２５】
第１のインク保持部材５１は、収容部３２の内周面から供給孔３２ａを塞いでいる。この第１のインク保持部材５１にインクが供給孔３２ａを介して供給される。例えば、ユーザは、スポイトなどのインク供給器具を用いて、供給孔３２ａから第１のインク保持部材５１にインクを供給する。供給されたインクは、第１のインク保持部材５１に浸透し、さらに、第１のインク保持部材５１を介して第２のインク保持部材５２にも浸透する。また、第２のインク保持部材５２は収容部３２の下面から突出しないように形成されている。このため、収容部３２が、収容部材３０が被加工物Ａ１の表面に当接しても、第２のインク保持部材５２が被加工物Ａ１の表面に接触することは無く、インクが被加工物Ａ１の表面に付着することは抑制されている。
【００２６】
ここで、インクとしては、例えば、赤色や青色、黒色、白色などのカラーインクなどが用いられる。彩色のためには、被加工物Ａ１の表面の色に対して目立つ色、例えば、被加工物Ａ１の色と異なる色や同系色でない色が用いられる。また、第１のインク保持部材５１としては、例えば、スポンジなどの第１の多孔質体が用いられる。第２のインク保持部材５２としては、例えば、多数の孔を有するゴムなどの第２の多孔質体が用いられる。なお、第１の多孔質体は、第２の多孔質体よりもインク保持量が多くなる材料により形成されており、第２の多孔質体は、第１の多孔質体よりも硬い材料により形成されている。
【００２７】
（インサート挿入動作）
次に、前述のインサート挿入工具１０を用いたインサート挿入動作について図４から図７を参照して説明する。なお、図５から図７においては、被加工物Ａ１やタップ穴Ａ２を断面で示す。
【００２８】
インサートＢ１は、断面が菱形形状の線材（例えば、ステンレス）がコイル状に巻かれて形成されている。インサートＢ１の外周面が外側ネジとして機能し、インサートＢ１の内周面が内側ネジとして機能する。このインサートＢ１の一端部には、コイルの直径方向に折り曲げられたタングＢ２が形成されている。インサートＢ１がインサート挿入工具によりタップ穴Ａ２に挿入されると、タングＢ２はタップ穴Ａ２の奥側に位置する。
【００２９】
このインサートＢ１をタップ穴Ａ２に挿入する前段階として、まず、インサート挿入工具１０のマンドレル２０が、六角ビット２１を介して自動式のドライバーの駆動軸又は手動式の回転治具にユーザによって装着される。次いで、インサートＢ１がユーザによりインサート挿入工具１０のマンドレル２０に装着される。このとき、ユーザは、インサートＢ１だけを回したり、インサート挿入工具１０だけを回したり、あるいは、それらの両方を互いに反対方向に回したりする。インサートＢ１は、タングＢ２がマンドレル２０の先端部に引っかかる位置まで回されてマンドレル２０に装着される。この装着時には、図４に示すように、インサートＢ１の上面が第２のインク保持部材５２に接触し、インサートＢ１の上面にインクが付着して塗布される。この上面は、インサートＢ１においてタップ穴Ａ２に先に進入する先端の反対側の後端である。
【００３０】
このインサートＢ１の装着過程では、インサートＢ１の上面が第２のインク保持部材５２に当接し、インサートＢ１は第２のインク保持部材５２、すなわち、塗布部材５０を収容する収容部材３０を押し上げながら、マンドレル２０に装着されていく。このとき、インサートＢ１の上面と第２のインク保持部材５２の下面とが密着し、インサートＢ１の上面にはインクが付着して塗布される。収容部材３０は押圧部材４０により下方に押されているため、インサートＢ１の上面には第２のインク保持部材５２が押し付けられている。なお、インクはインサートＢ１の上面だけではなく、インサートＢ１の側面（内周面及び外周面のいずれか一方又は両方）の一部にも付着することがある。
【００３１】
インサートＢ１が装着されたインサート挿入工具１０は、図５に示すように、インサートＢ１がタップ穴Ａ２に対向するようにユーザにより位置付けられ、インサートＢ１がタップ穴Ａ２内に進入するように回されて、図６に示すように、インサートＢ１がタップ穴Ａ２にねじ込められて挿入される（埋め込まれる）。収容部材３０の収容部３２の下面が被加工物Ａ１の表面に当接し、マンドレル２０が回転しなくなると、マンドレル２０はそれ以上タップ穴Ａ２内に進入しなくなる。収容部材３０の収容部３２の下面が被加工物Ａ１の表面に当接し、第２のインク保持部材５２の下面とインサートＢ１の上面とが離れるまで、第２のインク保持部材５２の下面とインサートＢ１の上面とは密着しており、インサートＢ１の上面に対するインクの塗布は持続されている。
【００３２】
インサートＢ１がタップ穴Ａ２に挿入されると（埋め込まれると）、インサート挿入工具１０は、インサートＢ１の挿入時と逆方向に自動又は手動で回され、図７に示すように、タップ穴Ａ２に挿入されたインサートＢ１からマンドレル２０が外され、上方に引き上げられる。タップ穴Ａ２に挿入されたインサートＢ１の上面には、インクが塗布されている。なお、第２のインク保持部材５２は収容部３２内から突出しておらず、第２のインク保持部材５２が被加工物Ａ１の表面に接触することは無い。これにより、インクが被加工物Ａ１の表面に付着することは抑えられている。
【００３３】
このようなインサート挿入動作によれば、インサートＢ１がインサート挿入工具１０に装着されると、インサートＢ１の上面にはインクが第２のインク保持部材５２によって塗布される。このため、被加工物Ａ１のタップ穴Ａ２に挿入されたインサートＢ１の露出面である上面にはインクが塗布されており、タップ穴Ａ２に挿入されたインサートＢ１は被加工物Ａ１の表面に対して目立つようになる。これにより、ユーザはインサートＢ１がタップ穴Ａ２に挿入されているか否かを視認することが可能となる。したがって、従来のように、ユーザがタップ穴Ａ２内のインサートＢ１に試しにネジを回し入れる作業は不要となるので、作業効率を向上させることができる。また、被加工物Ａ１の表面に複数のタップ穴Ａ２が存在する場合でも、ユーザはそれらのタップ穴Ａ２内のインサートＢ１の上面を一見すれば、各タップ穴Ａ２にインサートＢ１が挿入されているか否かを視認することが可能となる。これにより、前述のような作業をタップ穴Ａ２ごとに実施する必要も無くなるので、確実に作業効率を向上させることができる。
【００３４】
通常、インサートＢ１としては、銀色の安価なインサートが用いられるが、色付きのインサートを用いることも可能である。しかしながら、色付きのインサートは高価であるため、前述のインサート挿入工具１０を用いることで、銀色の安価なインサートを用いることができる。これにより、色付きのインサートの使用を抑制することが可能になるので、コストを抑えることができる。
【００３５】
なお、インクとしては、例えば、赤色や青色、黒色、白色などのカラーインク以外にも、蛍光インク、蓄光インク、反射インク、発光インクなどを用いることも可能である。これらの蛍光インクや反射インク、発光インクなどを用いる場合にも、被加工物Ａ１の表面の色に対して目立つ色のインクを用いることが好ましいが、これに限るものではなく、例えば、被加工物Ａ１の表面と同じ色や同系色のインクを用いるようにしてもよい。また、インクとしては、顔料インクや染料インクなどの液体状のインク以外にも、ジェル状や粉末状、固形状などの各種インクを用いることが可能である。
【００３６】
以上説明したように、第１の実施形態によれば、インサートＢ１がインサート挿入工具１０に装着されると、インサートＢ１の露出面となる上面には塗布部材５０によってインクが塗布される。このインクが塗布されたインサートＢ１が被加工物Ａ１のタップ穴Ａ２に挿入される。タップ穴Ａ２に挿入されたインサートＢ１は被加工物Ａ１の表面に対して目立つようになるので、ユーザはインサートＢ１がタップ穴Ａ２に挿入されているか否かを視認することが可能となる。したがって、インサートＢ１がタップ穴Ａ２に挿入されているか否かを確認する確認作業が容易になり、作業効率を向上させることができる。また、被加工物Ａ１の表面に複数のタップ穴Ａ２が存在する場合でも、ユーザはそれらのタップ穴Ａ２に挿入されたインサートＢ１の上面を一見すれば、各タップ穴Ａ２にインサートＢ１が挿入されているか否かを視認することが可能となる。したがって、確認作業が容易になり、確実に作業効率を向上させることができる。
【００３７】
＜第２の実施形態＞
第２の実施形態について図８から図１１を参照して説明する。なお、第２の実施形態中の上下左右の方向は図面に基づくものである。第２の実施形態では、第１の実施形態との相違点について説明し、その他の説明を省略する。
【００３８】
第２の実施形態では、図８及び図９に示すように、ロック部材６０が設けられている。なお、第１の実施形態（図１から図３参照）に比べ、フランジ部材２２及び押圧部材４０が無く、収容部材３０の本体３１には、ネジ穴３１ｂ及び雄ネジ３３が無く、さらに、マンドレル２０の外周面には、溝部２０ａが無い。
【００３９】
マンドレル２０の外周面には、図９に示すように、雄ネジ２０ｃが六角ビット２１の根元付近からマンドレル２０の中央付近にかけて形成されている。また、収容部材３０の本体３１の貫通孔３１ａの内周面には、雌ネジ３１ｃが本体３１の上端から中央付近にかけて形成されている。この本体３１の雌ネジ３１ｃとマンドレル２０の雄ネジ２０ｃとが組み合わされ、収容部材３０がマンドレル２０に一体に保持される。
【００４０】
ロック部材６０は、マンドレル２０に収容部材３０を固定するための部材である。このロック部材６０の内周面には、図９に示すように、雌ネジ６０ａが形成されている。ロック部材６０としては、例えば、ナットが用いられる。このロック部材６０の雌ネジ６０ａとマンドレル２０の雄ネジ２０ｃが組み合わされ、ロック部材６０の下面が本体３１の上面に当接し、収容部材３０がマンドレル２０に固定される。
【００４１】
塗布部材５０は、第１の実施形態と同様、第１のインク保持部材５１及び第２のインク保持部材５２の二層構造になっている。第１のインク保持部材５１及び第２のインク保持部材５２は円環状に形成されているが、互いの環の外径及び幅（リング幅）は異なっている。第２のインク保持部材５２の環の外径は、第１のインク保持部材５１の環の外径よりも短くなっており、さらに、マンドレル２０に装着されたインサートＢ１の外径よりも短くなっている（図１０参照）。このため、第２のインク保持部材５２の外周面は、収容部３２の内周面と所定の離間距離（例えば、所定の水平離間距離）だけ離れている。
【００４２】
また、第２のインク保持部材５２は、収容部３２の下面から突出している。この第２のインク保持部材５２の突出量は、収容部３２の下面が被加工物Ａ１の表面に当接したとき、第２のインク保持部材５２の下面が、タップ穴Ａ２に挿入されたインサートＢ１の上面に当接するように設定されている。なお、インサートＢ１がタップ穴Ａ２に挿入されたとき、インサートＢ１の上面は被加工物Ａ１の表面よりもタップ穴Ａ２の奥側に所定量（例えば、０．５から２ｍｍの範囲内の所定量）だけ入り込む（図示せず）。この入り込み量に応じて、第２のインク保持部材５２の突出量は適切に設定されている。このように、第２のインク保持部材５２は、タップ穴Ａ２に挿入されたインサートＢ１の上面だけに接触するように形成されている。
【００４３】
ここで、収容部材３０がユーザによってマンドレル２０に装着される場合には、本体３１の雌ネジ３１ｃがマンドレル２０の雄ネジ２０ｃに組み合わされ、さらに、その組み合わせ量が調整され、収容部材３０から突出するマンドレル２０の突出量が所望量に設定される。この状態で、ロック部材６０の雌ネジ６０ａがマンドレル２０の上端側（後端側）からマンドレル２０の雄ネジ２０ｃに組み合わされ、ロック部材６０の下面が本体３１の上面に当接するように締め付けられる。このようにして、収容部材３０がマンドレル２０に装着される。
【００４４】
前述のマンドレル２０の突出量は、タップ穴Ａ２の深さやインサートＢ１の長さ（インサートＢ１におけるマンドレル２０の延伸方向への長さ）に応じて設定されており、さらに、マンドレル２０に装着されたインサートＢ１の上面と第２のインク保持部材５２の下面とが接触しないように設定されている（図１０参照）。なお、マンドレル２０に装着されたインサートＢ１とは、マンドレル２０の先端部がタングＢ２に引っかかった状態でマンドレル２０に取り付けられたインサートである。
【００４５】
（インサート挿入動作）
次に、前述のインサート挿入工具１０を用いたインサート挿入動作について図１０及び図１１を参照して説明する。なお、図１０及び図１１においては、被加工物Ａ１やタップ穴Ａ２を断面で示す。
【００４６】
第１の実施形態と同様、インサートＢ１をタップ穴Ａ２に挿入する前段階として、まず、インサート挿入工具１０のマンドレル２０が、六角ビット２１を介して自動式のドライバーの駆動軸又は手動式の回転治具にユーザによって装着される。次いで、インサートＢ１がユーザによりインサート挿入工具１０のマンドレル２０に装着される。このとき、ユーザは、インサートＢ１だけを回したり、インサート挿入工具１０だけを回したり、あるいは、それらの両方を互いに反対方向に回したりする。インサートＢ１は、タングＢ２がマンドレル２０の先端部に引っかかる位置まで回されてマンドレル２０に装着される。この装着時には、第１の実施形態と異なり、図１０に示すように、インサートＢ１の上面は第２のインク保持部材５２に接触せず、インサートＢ１の上面にはインクが塗布されない。
【００４７】
インサートＢ１が装着されたインサート挿入工具１０は、インサートＢ１がタップ穴Ａ２に対向するようにユーザにより位置付けられ、インサートＢ１がタップ穴Ａ２内に進入するように回されて、図１１に示すように、インサートＢ１がタップ穴Ａ２にねじ込められて挿入される（埋め込まれる）。収容部材３０の収容部３２の下面が被加工物Ａ１の表面に当接し、マンドレル２０が回転しなくなると、マンドレル２０はそれ以上タップ穴Ａ２内に進入しなくなる。この動作中、第２のインク保持部材５２の下面が、タップ穴Ａ２に挿入されたインサートＢ１の上面に当接すると、第２のインク保持部材５２の下面とインサートＢ１の上面とが密着し、インサートＢ１の上面にはインクが付着して塗布される。なお、インサートＢ１の上面は被加工物Ａ１の表面よりもタップ穴Ａ２側に入り込むため、インサートＢ１の上面の高さ位置は被加工物Ａ１の表面の高さ位置より低くなる（図示せず）。
【００４８】
インサートＢ１がタップ穴Ａ２に挿入されると（埋め込まれると）、インサート挿入工具１０は、インサートＢ１の挿入時と逆方向に自動又は手動で回され、タップ穴Ａ２に挿入されたインサートＢ１からマンドレル２０が外され、上方に引き上げられる。タップ穴Ａ２に挿入されたインサートＢ１の上面には、インクが塗布されている。なお、第２のインク保持部材５２は収容部３２内から突出しているが、第２のインク保持部材５２が被加工物Ａ１の表面に接触することを抑えるように形成されており、インクが被加工物Ａ１の表面に付着することは抑制されている。
【００４９】
つまり、第２のインク保持部材５２は、その外径がインサートＢ１の外径よりも短くなるように形成されている。これにより、第２のインク保持部材５２が、タップ穴Ａ２に挿入されたインサートＢ１に接触しても、インサートＢ１の周囲に接触することが抑えられる。したがって、第２のインク保持部材５２が被加工物Ａ１の表面に接触することで、インクが被加工物Ａ１の表面に付着することを抑制することができる。また、第２のインク保持部材５２は、その外周面が収容部３２の内周面から所定の離間距離だけ離れるように形成されている。このため、第２のインク保持部材５２が、タップ穴Ａ２に挿入されたインサートＢ１に当接したときに変形しやすくなり、第２のインク保持部材５２に過剰な力がかからなくなるので、第２のインク保持部材５２から多量のインクが流れ出すことを抑えることが可能となる。これにより、第２のインク保持部材５２から多量のインクが排出されることで、インクが被加工物Ａ１の表面に付着することを抑制することができる。
【００５０】
このようなインサート挿入動作によれば、インサートＢ１が被加工物Ａ１のタップ穴Ａ２に挿入されると、インサートＢ１の上面にはインクが第２のインク保持部材５２によって塗布される。このため、第１の実施形態と同様、被加工物Ａ１のタップ穴Ａ２に挿入されたインサートＢ１の露出面である上面にはインクが塗布されており、タップ穴Ａ２に挿入されたインサートＢ１は被加工物Ａ１の表面に対して目立つようになる。これにより、ユーザはインサートＢ１がタップ穴Ａ２に挿入されているか否かを視認することが可能となる。したがって、従来のように、ユーザがタップ穴Ａ２内のインサートＢ１に試しにネジを回し入れる作業が不要となるので、作業効率を向上させることができる。また、被加工物Ａ１の表面に複数のタップ穴Ａ２が存在する場合でも、ユーザはそれらのタップ穴Ａ２内のインサートＢ１の上面を一見すれば、各タップ穴Ａ２にインサートＢ１が挿入されているか否かを視認することが可能となる。これにより、前述のような作業をタップ穴Ａ２ごとに実施する必要も無くなるので、確実に作業効率を向上させることができる。
【００５１】
以上説明したように、第２の実施形態によれば、第１の実施形態と同様の効果を得ることができる。すなわち、インサートＢ１が被加工物Ａ１のタップ穴Ａ２に挿入されると、インサートＢ１の露出面である上面にはインクが塗布部材５０によって塗布される。これにより、タップ穴Ａ２に挿入されたインサートＢ１は被加工物Ａ１の表面に対して目立つようになるので、ユーザはインサートＢ１がタップ穴Ａ２に挿入されているか否かを視認することが可能となる。したがって、インサートＢ１がタップ穴Ａ２に挿入されているか否かを確認する確認作業が容易になり、作業効率を向上させることができる。また、タップ穴Ａ２が複数存在する場合でも、確認作業が容易になるので、確実に作業効率を向上させることができる。
【００５２】
＜他の実施形態＞
前述の説明においては、インサート挿入工具１０として、タングＢ２を有するタング付きインサートに対応するインサート挿入工具を例示したが、これに限るものではなく、フック部を有するパウルなどの各種部材をマンドレル２０に追加し、タングＢ２を有さないタングレスインサートに対応するインサート挿入工具を用いるようにしてもよい。なお、インサートＢ１としては、タング付きインサートやタングレスインサートの他にも、ねじ込み式インサートであるイリサート（登録商標）や、自力切削式インサートであるエンザートも存在しており、それらに対応するインサート挿入工具を用いるようにしてもよい。すなわち、各種のインサートに対応するインサート挿入工具を用いることが可能である。
【００５３】
また、前述の説明においては、塗布部材５０を第１のインク保持部材５１及び第２のインク保持部材５２の二層により構成することを例示したが、これに限るものではなく、例えば、第１のインク保持部材５１及び第２のインク保持部材５２のどちらか一方の一層により構成するようにしてもよい。また、異なる部材による層構成を二層や一層にするのではなく、三層以上にするようにしてもよい。また、第１のインク保持部材５１及び第２のインク保持部材５２において、それらの形状や大きさ、材料などを互いに同じにするようにしてもよく、あるいは、異なるようにしてもよい。なお、塗布部材５０にインクを供給するための供給孔３２ａを収容部３２に一つだけ形成しているが、これに限るものではなく、複数設けるようにしてもよい。
【００５４】
また、前述の説明においては、インサートＢ１の上面にインクを塗布することを例示したが、これに限るものではなく、少なくともインサートＢ１の上面にインクを塗布すればよく、例えば、インサートＢ１の上面に加え、インサートの側面（内周面及び外周面のいずれか一方又は両方）に塗布するようにしてもよい。また、インサートＢ１の最上方の一巻目だけではなく二巻目や三巻目などの側面にも塗布するようにしてもよい。なお、少なくともインサートＢ１の上面の一部にインクを塗布すればよいが、インサートＢ１の上面の全体にインクを塗布することが好ましい。
【００５５】
また、前述の説明においては、第１のインク保持部材５１及び第２のインク保持部材５２をそれぞれ同じ円環状に形成することを例示したが、これに限るものではなく、例えば、第１のインク保持部材５１及び第２のインク保持部材５２をそれぞれ異なる形状に形成するようにしてもよい。例えば、第１のインク保持部材５１を円環状に形成し、第２のインク保持部材５２を円環の半分（１／２）の形状に形成するようにしてもよい。また、第１のインク保持部材５１及び第２のインク保持部材５２のどちらか一方又は両方を円環の１／２や１／３、１／４などの形状に形成するようにしてもよい。あるいは、インク保持部材として多孔質体の複数の小片を用意し、それらの小片を環状に間隔をあけて並べて設けるようにしてもよい。例えば、二つ又は四つなどの偶数個の小片を用意し、マンドレル２０を間にして対向させて配置するようにしてもよい。なお、必要に応じて、多孔質体の小片ごとに供給孔３２ａを収容部３２に形成するようにしてもよい。
【００５６】
ここで、インサートＢ１の上面に接触する第２のインク保持部材５２を円環状に形成しなくても、第２のインク保持部材５２は少なくともインサートＢ１の上面の一部に接触する。これにより、第２のインク保持部材５２からインサートＢ１の上面の一部にインクが供給され、インクの粘度やインサートＢ１の上面の濡れ性などに応じ、インサートＢ１の上面全体に広がり、インサートＢ１の上面全体にインクが塗布される。なお、インクの粘度が高く、インサートＢ１の上面の濡れ性が悪い場合などには、インサートＢ１の上面の一部に供給されたインクがインサートＢ１の上面全体に広がらないが、少なくともインサートＢ１の上面の一部にインクは塗布される。このため、タップ穴Ａ２に挿入されたインサートＢ１は被加工物Ａ１の表面に対して目立つようになるので、ユーザはインサートＢ１がタップ穴Ａ２に挿入されているか否かを容易に視認することができる。
【００５７】
以上、本発明に係る前述の実施形態を説明したが、前述の実施形態は例示であり、発明の範囲を限定するものではない。前述の実施形態は種々変更可能であり、例えば、前述の実施形態に示される構成要素を省略、置き換え、変更しても良く、さらに、異なる実施形態に係る構成要素を適宜組み合わせても良い。前述の実施形態やその変形は、特許請求の範囲に記載された発明とその均等の範囲に含まれるものである。
【符号の説明】
【００５８】
１０    インサート挿入工具
２０    マンドレル
２０ａ  溝部
２０ｂ  雄ネジ
２０ｃ  雄ネジ
２１    六角ビット
２２    フランジ部材
３０    収容部材
３１    本体
３１ａ  貫通孔
３１ｂ  ネジ穴
３１ｃ  雌ネジ
３２    収容部
３２ａ  供給孔
３３    雄ネジ
４０    押圧部材
５０    塗布部材
５１    第１のインク保持部材
５１ａ  貫通孔
５２    第２のインク保持部材
５２ａ  貫通孔
６０    ロック部材
６０ａ  雌ネジ
Ａ１    被加工物
Ａ２    タップ穴
Ｂ１    インサート
Ｂ２    タング
【図１】
2020199626.tif 000003
【図２】
2020199626.tif 000004
【図３】
2020199626.tif 000005
【図４】
2020199626.tif 000006
【図５】
2020199626.tif 000007
【図６】
2020199626.tif 000008
【図７】
2020199626.tif 000009
【図８】
2020199626.tif 000010
【図９】
2020199626.tif 000011
【図１０】
2020199626.tif 000012
【図１１】
2020199626.tif 000013
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
インサートが装着されるマンドレルと、
前記インサートにおいてタップ穴に先に進入する先端の反対側の後端にインクを塗布する塗布部材と、
を備え、
前記塗布部材は、前記インクを保持するインク保持部材を有し、
前記インク保持部材は、前記マンドレルに装着された前記インサートの前記後端に接触することを特徴とするインサート挿入工具。
【請求項２】
前記インク保持部材は、前記マンドレルの延伸方向に沿って移動可能に形成されており、
前記マンドレルに装着された前記インサートの前記後端に前記インク保持部材を押し付ける押圧部材を備えることを特徴とする請求項１に記載のインサート挿入工具。
【請求項３】
インサートが装着されるマンドレルと、
前記インサートにおいてタップ穴に先に進入する先端の反対側の後端にインクを塗布する塗布部材と、
を備え、
前記塗布部材は、前記インクを保持するインク保持部材を有し、
前記インク保持部材は、前記タップ穴に挿入された前記インサートの前記後端に接触することを特徴とするインサート挿入工具。
【請求項４】
前記インク保持部材は、前記マンドレルに装着された前記インサートの前記後端に接触することを特徴とする請求項３に記載のインサート挿入工具。
【請求項５】
前記塗布部材を収容する収容部材を備え、
前記収容部材は、前記塗布部材に前記インクを供給するための供給孔を有することを特徴とする請求項１から請求項４のいずれか一項に記載のインサート挿入工具。
【請求項６】
インサート挿入工具が備えるマンドレルにインサートを装着する工程と、
前記インサート挿入工具が備える塗布部材により、前記マンドレルに装着された前記インサートにおいてタップ穴に先に進入する先端の反対側の後端にインクを塗布する工程と、
前記インクが塗布されたインサートを前記インサート挿入工具により前記タップ穴に挿入する工程と、
を有することを特徴とするインサート挿入方法。
【請求項７】
インサート挿入工具が備えるマンドレルにインサートを装着する工程と、
前記マンドレルに装着された前記インサートを前記インサート挿入工具によりタップ穴に挿入する工程と、
前記インサート挿入工具が備える塗布部材により、前記タップ穴に挿入された前記インサートにおいて前記タップ穴に先に進入した先端の反対側の後端にインクを塗布する工程と、
を有することを特徴とするインサート挿入方法。